(57)【要約】【課題】  本発明は、帯状台紙の巻き取り径が大きくなって巻き取るための張力が弱まった場合にも、巻き取り駆動軸が逆方向に回転することを防止することができ、帯状台紙に弛みが生じることがない巻き取り装置を提供することを課題とする。【解決手段】  巻き取り駆動軸１１が本体フレームに対して固定して設けられている支持板２１１にワンウェイヒンジ１５を介して軸支されている。ワンウェイヒンジ１５は、ワンウェイクラッチとトルクリミッタの機能を兼ね備えたヒンジであり、巻き取り駆動軸１１の巻き取り方向の回転には、トルクを発生することなく空転状態となり、巻き取り駆動軸１１の巻き取り方向に対する逆方向の回転には、トルクを発生する。従って、移送部の移送ローラと同期して巻き取り駆動軸１１が停止した際に、巻き取り駆動軸１１が巻き取り方向に対して逆方向に回転することを防止することができる。【選択図】        図３
2006151653.tif 000002
【特許請求の範囲】
【請求項１】
移送手段によって帯状台紙に複数のラベルが間隔を置いて仮着されているラベル連続体を移送し、前記ラベルを前記帯状台紙から剥離して被着体に貼付するラベル送付装置に用いられ、前記移送手段を駆動する駆動源によって回転駆動される巻き取り駆動軸を、巻き取り方向に回転させることによって前記ラベルが剥離された前記帯状台紙を巻き取る巻き取り装置であって、
前記移送手段による前記ラベル連続体の移送停止に同期した前記巻き取り駆動軸の回転停止時に、前記巻き取り駆動軸の巻き取り方向に対する逆方向の回転を防止する逆転防止手段を具備することを特徴とする巻き取り装置。
【請求項２】
前記逆転防止手段は、前記巻き取り駆動軸の巻き取り方向の回転には、トルクを発生することなく空転状態となり、前記巻き取り駆動軸の巻き取り方向に対する逆方向の回転には、トルクを発生するワンウェイヒンジであり、
前記巻き取り駆動軸は、前記ワンウェイヒンジを介して支持板に軸支されていることを特徴とする請求項１記載の巻き取り装置。
【請求項３】
前記逆転防止手段は、前記巻き取り駆動軸の巻き取り方向の回転には、空転状態となり、前記巻き取り駆動軸の巻き取り方向に対する逆方向の回転を禁止するワンウェイクラッチであり、
前記巻き取り駆動軸は、前記ワンウェイクラッチを介して支持板に軸支されていることを特徴とする請求項１記載の巻き取り装置。
【発明の詳細な説明】
【技術分野】
【０００１】
本発明は、帯状台紙を巻き取る巻き取り装置に関し、特に帯状台紙に仮着されているラベルを剥離して被着体に貼付するラベル貼付装置に用いられ、ラベルが剥離された帯状台紙を巻き取る巻き取り装置に関する。
【背景技術】
【０００２】
帯状台紙に仮着されているラベルを剥離して被着体に貼付するラベル貼付装置には、被着体に貼付するラベルを繰り出すために、帯状台紙に複数のラベルが間隔を置いて仮着されているラベル連続体を移送する移送手段と、ラベルが剥離された帯状台紙を巻き取る巻き取り装置とが備えられているが、移送手段と巻き取り装置とは、同一の駆動源によって駆動されているものが多く、移送手段によるラベル連続体の移送の停止に同期して巻き取り装置の巻き取り動作も停止される（例えば、特許文献１参照）。
【０００３】
しかしながら、従来技術では、移送手段によるラベル連続体の移送の停止に同期して巻き取り装置の巻き取り動作も停止されるため、帯状台紙の巻き取り径が大きくなって巻き取るための張力が弱まった場合には、巻き取り力の影響を少なくするテンション付与手段等によって巻き取り駆動軸が逆方向に回転してしまって帯状台紙に弛みが生じてしまい、帯状台紙の巻き取りがブカ巻きになり、さらには巻き取り不能になってしまうという問題点があった。
【特許文献１】特開２００４−３１５０２６号公報
【発明の開示】
【発明が解決しようとする課題】
【０００４】
本発明は斯かる問題点を鑑みてなされたものであり、その目的とするところは、帯状台紙の巻き取り径が大きくなって巻き取るための張力が弱まった場合にも、巻き取り駆動軸が逆方向に回転することを防止することができ、帯状台紙に弛みが生じることがない巻き取り装置を提供する点にある。
【課題を解決するための手段】
【０００５】
本発明は上記課題を解決すべく、以下に掲げる構成とした。
請求項１記載の発明の要旨は、移送手段によって帯状台紙に複数のラベルが間隔を置いて仮着されているラベル連続体を移送し、前記ラベルを前記帯状台紙から剥離して被着体に貼付するラベル送付装置に用いられ、前記移送手段を駆動する駆動源によって回転駆動される巻き取り駆動軸を、巻き取り方向に回転させることによって前記ラベルが剥離された前記帯状台紙を巻き取る巻き取り装置であって、前記移送手段による前記ラベル連続体の移送停止に同期した前記巻き取り駆動軸の回転停止時に、前記巻き取り駆動軸の巻き取り方向に対する逆方向の回転を防止する逆転防止手段を具備することを特徴とする巻き取り装置に存する。
また請求項２記載の発明の要旨は、前記逆転防止手段は、前記巻き取り駆動軸の巻き取り方向の回転には、トルクを発生することなく空転状態となり、前記巻き取り駆動軸の巻き取り方向に対する逆方向の回転には、トルクを発生するワンウェイヒンジであり、前記巻き取り駆動軸は、前記ワンウェイヒンジを介して支持板に軸支されていることを特徴とする請求項１記載の巻き取り装置に存する。
また請求項３記載の発明の要旨は、前記逆転防止手段は、前記巻き取り駆動軸の巻き取り方向の回転には、空転状態となり、前記巻き取り駆動軸の巻き取り方向に対する逆方向の回転を禁止するワンウェイクラッチであり、前記巻き取り駆動軸は、前記ワンウェイクラッチを介して支持板に軸支されていることを特徴とする請求項１記載の巻き取り装置に存する。
【発明の効果】
【０００６】
本発明の巻き取り装置は、移送手段によるラベル連続体の移送停止に同期した巻き取り駆動軸の回転停止時に、巻き取り駆動軸の巻き取り方向に対する逆方向の回転を防止する逆転防止手段を設けることにより、帯状台紙の巻き取り径が大きくなって巻き取るための張力が弱まった場合にも、巻き取り駆動軸が逆方向に回転することを防止することができ、帯状台紙に弛みが生じることがないという効果を奏する。
【０００７】
さらに、本発明の巻き取り装置は、逆転防止手段としてワンウェイヒンジを用い、ワンウェイヒンジによって巻き取り駆動軸の巻き取り方向に対する逆方向への回転を防止するように構成することにより、ラベル巻き取りセットを行う際に、巻き取り駆動軸を正逆双方向に手で回すことが可能となるため、操作性に悪影響を与えることがないという効果を奏する。
【発明を実施するための最良の形態】
【０００８】
以下、本発明の実施の形態を図面に基づいて詳細に説明する。
【０００９】
図１は、本発明に係る巻き取り装置の実施の形態が用いられるラベル貼付装置の構成を示す斜視図であり、図２は、本発明に係る巻き取り装置の実施の形態が用いられるラベル貼付装置の構成を示す概略側面図であり、図３は、本発明に係る巻き取り装置の実施の形態の外観構成を示す斜視図であり、図４は、本発明に係る巻き取り装置の実施の形態の構成を示す斜視図である。
【００１０】
本実施の形態の巻き取り装置１は、図１および図２に示すラベル貼付装置２に用いられ、ラベル３が剥離された帯状台紙４を巻き取る装置である。
【００１１】
ラベル貼付装置２は、コンベア５の上方に配置されると共に、帯状台紙４に仮着されているラベル３を剥離して、コンベア５上を搬送される被着体６に貼付する装置であり、図１および図２を参照すると、本体フレーム２１の上部にラベル供給部２２が設けられている。ラベル供給部２２は、帯状台紙４に複数のラベル３が間隔を置いて仮着されているラベル連続体７がロール状に巻き回された状態で装着される供給リール２２１と、供給リール２２１に装着されたラベル連続体７の両端面をそれぞれガイドするガイド板２２２、２２３とからなり、ロール状に巻き回されたラベル連続体７は、供給リール２２１に回転自在に保持されている。
【００１２】
供給リール２２１から繰り出されるラベル連続体７は、移送部２３の上面側を通って剥離板２４に移送される。なお、図１および図２に示す符号２５は、ラベル連続体７に加わるテンションの変化を吸収するテンションローラであり、供給リール２２１から移送部２３までの移送路中に配置されている。
【００１３】
剥離板２４は、先端部が鋭角に形成されており、帯状台紙４を転向させると共に、帯状台紙４より剛性の大きいラベル３は、帯状台紙４から剥離されて前方に繰り出される。剥離板２４から繰り出されたラベル３は、剥離板２４のラベル繰り出し方向の前方に設けられた貼付ローラ２６によって、コンベア５によって搬送されてきた被着体６の上面に押圧され、被着体６の上面の所定位置に貼着される。
【００１４】
また、剥離板２４のラベル連続体７の移送方向上流側には、ラベル３の先端を検出するラベル検出センサ２７が配置されており、ラベル検出センサ２７によってラベル３の先端を把握することにより、剥離板２４から繰り出すラベル３の先端が被着体６の上面の所定位置に貼着されるように制御される。
【００１５】
一方、ラベル３が剥離された帯状台紙４は、移送部２３の下面側を通って巻き取り装置１に移送されて巻き取られる。なお、図１および図２に示す符号２８は、帯状台紙４に加わるテンションの変化を吸収するテンションローラであり、移送部２３から巻き取り装置１までの移送路中に配置されている。
【００１６】
移送部２３は、図示しない駆動モータによって回転駆動される移送ローラ２３１と、第１のニップローラ２３２と、第２のニップローラ２３３とを備え、移送ローラ２３１と第１のニップローラ２３２とによって挟持移送して供給リール２２１から繰り出されるラベル連続体７を剥離板２４に移送すると共に、移送ローラ２３１と第２のニップローラ２３３とによって挟持移送して剥離板２４で転向された帯状台紙４を巻き取り装置１に移送する。
【００１７】
巻き取り装置１は、図３を参照すると、本体フレーム２１から張り出した巻き取り装置支持フレーム２１１から突出している巻き取りリール１２に、剥離板２４で転向された帯状台紙４を巻き取る構成になっている。なお、図３に示す符号１３は、巻き取りリール１２への帯状台紙４の巻き取りをガイドするガイド板であり、ガイド板１３は、巻き取りリール１２と一体で回転される。
【００１８】
図４を参照すると、巻き取りリール１２は、巻き取り駆動軸１１に環装され、巻き取り駆動軸１１と一体で回転されるように構成されており、巻き取り駆動軸１１は、軸受け１４ａおよび１４ｂによって、巻き取り装置支持フレーム２１１および支持板２１２（巻き取り装置支持フレーム２１１に対して固定されている）にそれぞれ回動自在に軸支されていると共に、支持板２１２に固定されたワンウェイヒンジ１５に貫装されている。
【００１９】
巻き取り駆動軸１１は、移送部２３の移送ローラ２３１を駆動する図示しない駆動モータを駆動源として回転駆動され、駆動モータからの回転駆動力は、ギア１６およびギア１７を介して巻き取り駆動軸１１に環装された最終ギア１８に伝達され、同じく巻き取り駆動軸１１に環装されたトルクリミッタ１９を介して巻き取り駆動軸１１を回転駆動させる。
【００２０】
ワンウェイヒンジ１５は、ワンウェイクラッチとトルクリミッタの機能を兼ね備えたヒンジであり、巻き取り駆動軸１１の巻き取り方向の回転には、トルクを発生することなく空転状態となり、巻き取り駆動軸１１の巻き取り方向に対する逆方向の回転には、トルクを発生する。従って、ワンウェイヒンジ１５は、巻き取り駆動軸１１の逆転防止手段として機能し、移送部２３の移送ローラ２３１と同期して巻き取り駆動軸１１が停止した際に、巻き取り駆動軸１１が巻き取り方向に対して逆方向に回転することを防止することができる。
【００２１】
以上説明したように、本実施の形態によれば、移送部２３によるラベル連続体７の移送停止に同期した巻き取り駆動軸１１の回転停止時に、巻き取り駆動軸１１の巻き取り方向に対する逆方向の回転を防止するワンウェイヒンジ１５を設けることにより、帯状台紙４の巻き取り径が大きくなって巻き取るための張力が弱まった場合にも、巻き取り駆動軸１１が逆方向に回転することを防止することができ、帯状台紙４に弛みが生じることがないという効果を奏する。
【００２２】
また、本実施の形態によれば、ワンウェイヒンジ１５によって巻き取り駆動軸１１の巻き取り方向に対する逆方向への回転を防止するように構成することにより、ラベル巻き取りセットを行う際に、巻き取り駆動軸１１（巻き取りリール１２）を正逆双方向に手で回すことが可能となるため、操作性に悪影響を与えることがないという効果を奏する。
【００２３】
なお、本実施の形態では、ワンウェイヒンジ１５によって巻き取り駆動軸１１の巻き取り方向に対する逆方向への回転を防止するように構成したが、ワンウェイヒンジ１５の代わりに、巻き取り駆動軸１１の巻き取り方向の回転には、空転状態となり、巻き取り駆動軸１１の巻き取り方向に対する逆方向の回転を禁止するワンウェイクラッチを用い、ワンウェイクラッチによって巻き取り駆動軸１１の巻き取り方向に対する逆方向への回転を防止するようにしても良い。
【００２４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２５】
【図１】本発明に係る巻き取り装置の実施の形態が用いられるラベル貼付装置の構成を示す斜視図である。
【図２】本発明に係る巻き取り装置の実施の形態が用いられるラベル貼付装置の構成を示す概略側面図である。
【図３】本発明に係る巻き取り装置の実施の形態の外観構成を示す斜視図である。
【図４】本発明に係る巻き取り装置の実施の形態の構成を示す斜視図である。
【符号の説明】
【００２６】
１  巻き取り装置
２  ラベル貼付装置
３  ラベル
４  帯状台紙
５  コンベア
６  被着体
７  ラベル連続体
１１  巻き取り駆動軸
１２  巻き取りリール
１３  ガイド板
１４ａ、１４ｂ  軸受け
１５  ワンウェイヒンジ（逆転防止手段）
１６、１７  ギア
１８  最終ギア
１９  トルクリミッタ
２１  本体フレーム
２２  ラベル供給部
２３  移送部
２４  剥離板
２５  テンションローラ
２６  貼付ローラ
２７  ラベル検出センサ
２８  テンションローラ
２１１  巻き取り装置支持フレーム
２１２  支持板
２２１  供給リール
２２２、２２３  ガイド板
２３１  移送ローラ
２３２  第１のニップローラ
２３３  第２のニップローラ
【図１】
2006151653.tif 000003
【図２】
2006151653.tif 000004
【図３】
2006151653.tif 000005
【図４】
2006151653.tif 000006